(57)【要約】【課題】  傘が盗難に遭うリスクを軽減させることができる傘制御装置などを提供する。【解決手段】  本発明の一態様に係る傘制御装置は、傘が開くことを禁止する施錠指示又は前記傘が開くことを許可する解錠指示を端末装置から受信する通信手段と、前記施錠指示を受信した場合、前記傘の状態を、開かない状態である施錠状態に設定し、前記解錠指示を受信した場合、前記傘の状態を、開くことが可能な状態である解錠状態に設定する施錠手段と、を備える。【選択図】      図２８
2015223336.tif 000002
【特許請求の範囲】
【請求項１】
傘が開くことを禁止する施錠指示又は前記傘が開くことを許可する解錠指示を端末装置から受信する通信手段と、
前記施錠指示を受信した場合、前記傘の状態を、開かない状態である施錠状態に設定し、前記解錠指示を受信した場合、前記傘の状態を、開くことが可能な状態である解錠状態に設定する施錠手段と、
を備える傘制御装置。
【請求項２】
前記傘が開かれた状態であるか閉じられた状態であるかを表す開閉状態を検出する開閉検出手段を更に備え、
前記施錠手段は、前記施錠指示を受信した際の前記開閉状態が、前記傘が閉じられた状態であることを表す場合、前記傘の状態を前記解錠状態に設定する
請求項１に記載の傘制御装置。
【請求項３】
位置を測定する位置測定手段を更に備え、
前記通信手段は、前記開閉状態及び測定した前記位置を、受信した傘の開閉状態及び位置に基づき天気の分布を表す天気情報を生成する天気情報サーバに送信する
請求項２に記載の傘制御装置。
【請求項４】
前記傘が雨傘であるか日傘であるかを表す傘種別を記憶する種別記憶手段を備え、
前記通信手段は、前記開閉状態に加えて前記傘種別を、前記天気情報サーバに送信し、
前記天気情報サーバは、更に、前記傘種別に更に基づき前記天気情報を生成する
請求項３に記載の傘制御装置。
【請求項５】
前記傘制御装置は、前記傘が前記施錠状態であるか前記解錠状態であるかを表す状態値を前記端末装置に送信する状態値送信手段を含み、
前記端末装置は、前記状態値を受信し、当該状態値が施錠状態であることを表す場合、解錠を指示する解錠操作の入力を促す表示を行い、当該表示に応じて前記解錠操作が入力された場合、前記解錠指示を前記傘制御装置に送信する
請求項１乃至４のいずれかに記載の傘制御装置。
【請求項６】
前記通信手段は、前記端末装置との通信の切断を検出し、
前記施錠手段は、前記通信の切断が検出された場合、前記傘の状態を前記施錠状態に設定する
請求項１乃至５のいずれかに記載の傘制御装置。
【請求項７】
前記端末装置があらかじめ登録されている登録端末であることを認証する、端末認証を行う端末認証手段を備え、
前記施錠手段は、前記端末認証に失敗した場合、前記傘の状態を設定しない
請求項１乃至６のいずれかに記載の傘制御装置。
【請求項８】
前記端末装置と、請求項１乃至７のいずれかに記載の傘制御装置と、
を含む傘管理システム。
【請求項９】
傘が開くことを禁止する施錠指示又は前記傘が開くことを許可する解錠指示を端末装置から受信し、
前記施錠指示を受信した場合、前記傘の状態を、開かない状態である施錠状態に設定し、前記解錠指示を受信した場合、前記傘の状態を、開くことが可能な状態である解錠状態に設定する、
傘制御方法。
【請求項１０】
コンピュータを、
傘が開くことを禁止する施錠指示又は前記傘が開くことを許可する解錠指示を端末装置から受信する通信手段と、
前記施錠指示を受信した場合、前記傘の状態を、開かない状態である施錠状態に設定し、前記解錠指示を受信した場合、前記傘の状態を、開くことが可能な状態である解錠状態に設定する施錠手段と、
して動作させる傘制御プログラム。
【発明の詳細な説明】
【技術分野】
【０００１】
本発明は傘を制御する技術に関する。
【背景技術】
【０００２】
通信機能が付与された傘の例が、例えば、特許文献１、特許文献２、及び特許文献３に記載されている。
【０００３】
特許文献１に記載されている傘は、ヘッドセットと、傘開閉機構と、制御部とを備える。ヘッドセットは、携帯電話装置と短距離無線通信を行う。傘開閉機構は、傘の開閉を検出する。制御部は、検出された傘の開閉に応じて、ヘッドセットを起動又は停止させる。
【０００４】
特許文献２に記載されているインテリジェント傘は、天候情報を受信する。さらに、そのインテリジェント傘は、近傍においてユーザを検出する。傘が必要な天候情報を受信し、近傍においてユーザが検出された場合、そのインテリジェント傘は、傘の存在を知らせるアラームを発する。そのインテリジェント傘は、さらに、そのインテリジェント傘の移動の停止を検出する。停止が検出されてから所定時間後に近傍においてユーザが検出された場合、そのインテリジェント傘は、前述のアラームを発する。
【０００５】
特許文献３には、情報端末からアラーム情報を受信するアラーム装置を備えた傘が記載されている。情報端末は、アラーム装置を検出する。アラーム装置が検出された場合、情報端末は、ネットワークを介して天気予報情報を受信する。雨が降る可能性が高い天気予報情報を受信した場合、情報端末は、アラーム情報をアラーム装置に送信する。アラーム情報を受信した場合、アラーム装置は、受信したアラーム情報に基づき、アラームを発動する。
【先行技術文献】
【特許文献】
【０００６】
【特許文献１】特願２００９−２１８６７１号公報
【特許文献２】特願２０１３−１５４２３１号公報
【特許文献３】特願２０１４−０２１５０５号公報
【発明の概要】
【発明が解決しようとする課題】
【０００７】
屋外に設置されている傘立てに置かれている傘は、盗まれることが多い。
【０００８】
特許文献１の技術は、ヘッドセットを制御する技術である。特許文献２及び３の技術は、天候などに応じてアラームを発生させる技術である。したがって、特許文献１乃至３の技術では、傘の盗難を防止することはできない。
【０００９】
本発明の目的の一つは、傘が盗難に遭うリスクを軽減させることができる傘制御装置などを提供することにある。
【課題を解決するための手段】
【００１０】
本発明の一態様に係る傘制御装置は、傘が開くことを禁止する施錠指示又は前記傘が開くことを許可する解錠指示を端末装置から受信する通信手段と、前記施錠指示を受信した場合、前記傘の状態を、開かない状態である施錠状態に設定し、前記解錠指示を受信した場合、前記傘の状態を、開くことが可能な状態である解錠状態に設定する施錠手段と、を備える。
【００１１】
本発明の一態様に係る傘制御方法は、傘が開くことを禁止する施錠指示又は前記傘が開くことを許可する解錠指示を端末装置から受信し、前記施錠指示を受信した場合、前記傘の状態を、開かない状態である施錠状態に設定し、前記解錠指示を受信した場合、前記傘の状態を、開くことが可能な状態である解錠状態に設定する。
【００１２】
本発明の一態様に係る傘制御プログラムは、コンピュータを、傘が開くことを禁止する施錠指示又は前記傘が開くことを許可する解錠指示を端末装置から受信する通信手段と、前記施錠指示を受信した場合、前記傘の状態を、開かない状態である施錠状態に設定し、前記解錠指示を受信した場合、前記傘の状態を、開くことが可能な状態である解錠状態に設定する施錠手段と、して動作させる。
【発明の効果】
【００１３】
本発明には、傘が盗難に遭うリスクを軽減させることができるという効果がある。
【図面の簡単な説明】
【００１４】
【図１】図１は、本発明の第１の実施形態の傘制御システム１００の構成の例を表すブロック図である。
【図２】図２は、第１の実施形態の端末装置３の構成の例を表すブロック図である。
【図３】図３は、第１の実施形態の天気情報サーバ５の構成の例を表すブロック図である。
【図４】図４は、開かれる傘の構成を模式的に表す第１の図である。
【図５】図５は、開かれる傘の構成を模式的に表す第２の図である。
【図６】図６は、開かれる傘の構成を模式的に表す第３の図である。
【図７】図７は、傘の構成の一部分を模式的に表す第１の図である。
【図８】図８は、傘の構成の一部分を模式的に表す第２の図である。
【図９】図９は、傘の構成の一部分を模式的に表す第３の図である。
【図１０】図１０は、第１の実施形態の傘２の一部分の断面の例を模式的に表す第１の図である。
【図１１】図１１は、第１の実施形態の傘２の一部分の断面の例を模式的に表す第２の図である。
【図１２】図１２は、第１の実施形態の傘２の一部分の断面の例を模式的に表す第２の図である。
【図１３】図１３は、第１の実施形態の傘２の開閉を検出する開閉センサの一例を模式的に表す第１の図である。
【図１４】図１４は、第１の実施形態の傘２の開閉を検出する開閉センサの一例を模式的に表す第２の図である。
【図１５】図１５は、第１の実施形態のシャフトとハンドル部が分離可能な傘２の構成の例を模式的に表す第１の図である。
【図１６】図１６は、第１の実施形態のシャフトとハンドル部が分離可能な傘２の構成の例を模式的に表す第２の図である。
【図１７】図１７は、第１の実施形態のシャフト及び施錠部１０２の一例を模式的に表す図である。
【図１８】図１８は、端末装置３が傘制御装置１にアクセスを開始する場合における、第１の実施形態の傘制御装置１の動作の例を表すフローチャートである。
【図１９】図１９は、傘２を検出する場合における、本実施形態の端末装置３の動作の例を表すフローチャートである。
【図２０】図２０は、端末装置３から指示を受信する場合における、第１の実施形態の傘制御装置１動作を表すフローチャートである。
【図２１】図２１は、端末装置３に接続されておらず、端末装置３からのアクセスが無い場合における、本実施形態の傘制御装置１の動作を表すフローチャートである。
【図２２】図２２は、本発明の第２の実施形態の傘制御システム１００Ａの構成の例を表すブロック図である。
【図２３】図２３は、開閉状態を送信する場合における、第２の実施形態の傘推定装置１Ａの動作の例を表すフローチャートである。
【図２４】図２４は、傘２の開閉情報を受信する場合の、第２の実施形態の天気情報サーバ５の動作を表すフローチャートである。
【図２５】図２５は、傘２の開閉状態に基づき天気を推定する場合における、第２の実施形態の天気情報サーバ５の動作の第１の例を表すフローチャートである。
【図２６】図２６は、傘２の開閉状態に基づき天気を推定する場合における、第２の実施形態の天気情報サーバ５の動作の第２の例を表すフローチャートである。
【図２７】図２７は、端末装置３から天気の要求を受信する場合における、本実施形態の天気情報サーバ５の動作の例を表すフローチャートである。
【図２８】図２８は、本発明の第３の実施形態の傘制御装置１Ｂの構成の例を表すブロック図である。
【図２９】図２９は、本発明の各実施形態に係る各装置を実現することができる、コンピュータ１０００の構成の一例を表す図である。
【発明を実施するための形態】
【００１５】
＜第１の実施形態＞
次に、本発明の第１の実施の形態について図面を参照して詳細に説明する。
【００１６】
図１は、本実施形態の傘制御システム１００の構成の例を表すブロック図である。
【００１７】
図１を参照すると、傘制御システム１００は、傘制御装置１と、傘２と、端末装置３とを含む。傘２は、傘制御装置１を含む。傘制御装置１及び端末装置３は、例えば無線通信によって、互いに通信することができる。傘制御装置１及び端末装置３が互いに通信を行う無線通信は、例えば、Ｂｌｕｅｔｏｏｔｈ（登録商標）、無線ＬＡＮ（Ｌｏｃａｌ  Ａｒｅａ  Ｎｅｔｗｏｒｋ）等である。傘制御装置１及び端末装置３は、他の規格によって、互いに通信を行ってもよい。傘制御システム１００は、さらに、通信ネットワークであるネットワーク４を介して端末装置３と通信可能な天気情報サーバ５を含んでいてもよい。傘制御装置１は、端末装置３を介して、天気情報サーバ５と通信が可能であってもよい。傘制御装置１は、例えば無線ＬＡＮを介して、ネットワーク４に接続可能であってもよい。端末装置３は、例えば、スマートフォン、タブレット端末、あるいは携帯電話等の、携帯可能な端末である。図１には、端末装置３及び天気情報サーバ５の構成は描かれていない。
【００１８】
まず、傘制御装置１について説明する。傘制御装置１は、通信部１０１と、施錠部１０２と、開閉検出部１０３と、位置検出部１０４と、状態値送信部１０６と、端末認証部１０７とを含む。
【００１９】
通信部１０１は、端末装置３からの接続要求を受信し、受信した接続要求に応じて、端末装置３に接続する。通信部１０１は、例えば、傘制御装置１の他の構成要素と、端末装置３との間の通信を中継してもよい。通信部１０１は、さらに、接続可能な無線ＬＡＮの存在を検出してもよい。通信部１０１は、接続可能な無線ＬＡＮが検出された場合、検出された無線ＬＡＮに接続してもよい。通信部１０１は、例えば、傘制御装置１の他の構成要素と、ネットワーク４に接続された他の装置（例えば、端末装置３や天気情報サーバ５）との間の、その無線ＬＡＮを介した通信を中継してもよい。
【００２０】
また、通信部１０１は、傘２が開くことを禁止する施錠指示又は傘２が開くことを許可する解錠指示を端末装置３から受信する。通信部１０１は、端末装置３との通信の切断を検出する。
【００２１】
施錠部１０２は、通信部１０１が施錠指示を受信した場合、傘２の状態を、開かない状態である施錠状態に設定する。施錠部１０２は、通信部１０１が解錠指示を受信した場合、傘２の状態を、開くことが可能な状態である解錠状態に設定する。施錠部１０２は、端末装置３との通信の切断が検出され、さらに、開閉検出部１０３によって検出された後述の開閉状態が、傘２が閉じられていることを表す場合、傘２の状態を施錠状態に設定する。
【００２２】
開閉検出部１０３は、傘２が開かれた状態であるか閉じられた状態であるかを表す開閉状態を検出する。開閉検出部１０３は、例えば、後述される「下ろくろ」の位置が、傘２を閉じている状態における位置にあるか否かを検出するセンサによって実現される。
【００２３】
位置検出部１０４は、傘２の位置を検出する。傘制御装置１は、傘２に含まれる。従って、位置検出部１０４は、傘制御装置１の位置を検出すればよい。位置検出部１０４は、検出した傘制御装置１の位置を、傘２の位置として検出すればよい。位置検出部１０４は、例えば、ＧＰＳ（Ｇｌｏｂａｌ  Ｐｏｓｉｔｉｏｎｉｎｇ  Ｓｙｓｔｅｍ）によって位置の検出を行えばよい。位置検出部１０４は、他の方法で位置の検出を行ってもよい。
【００２４】
状態値送信部１０６は、傘２が施錠状態であるか解錠状態であるかを検出する。状態値送信部１０６は、傘２が施錠状態であるか解錠状態であるかを表す状態値を端末装置３に送信する。状態値送信部１０６は、例えば、施錠部１０２から状態値を受信することによって、傘２が施錠状態であるか解錠状態であるかを検出してもよい。
【００２５】
端末認証部１０７は、傘制御装置１に接続要求を行った端末装置３が、傘制御装置１に接続可能な端末装置３としてあらかじめ登録されている登録端末であることを認証する。端末認証部１０７による認証の方法として、さまざまな方法を使用することができる。端末認証部１０７は、端末装置３を特定することができる端末識別子の比較によって認証を行ってもよい。すなわち、登録端末は、傘制御装置１に接続可能な端末装置３としてあらかじめ登録されている端末装置３である。端末認証部１０７は、例えば、登録端末を特定する端末識別子を記憶していてもよい。そして、端末認証部１０７は、接続要求を行った端末装置３から、その端末装置３の端末識別子を受信してもよい。端末認証部１０７は、受信した端末識別子が、登録端末の端末識別子と一致した場合に、認証が成功したと判定してもよい。端末認証部１０７は、傘制御装置１を特定する識別子である傘識別子を、端末装置３に送信してもよい。そして、端末認証部１０７は、端末装置３に、送信した傘識別子と、端末装置３が記憶する登録傘識別子とが一致するか否かを判定することによる認証を行わせてもよい。端末認証部１０７は、例えば、公開鍵暗号に基づく端末認証を行ってもよい。通信部１０１は、端末装置３から接続要求を受信した場合、例えば、端末認証部１０７のみが端末装置３と通信可能であるよう、端末装置３に対する限定的な接続を確立すればよい。そして、端末認証部１０７による認証が失敗した場合、通信部１０１は、端末装置３に対する限定的な接続を切断すればよい。端末認証部１０７による認証が失敗した場合、通信部１０１は、端末装置３との接続を、前述の限定的な接続から、傘制御装置１の端末認証部１０７以外の構成要素が端末装置３と通信可能な接続に変更すればよい。また、端末認証部１０７による認証が失敗した場合、施錠部１０２は、傘２の状態を変更しない。
【００２６】
次に、端末装置３について、図面を参照して詳細に説明する。
【００２７】
図２は、本実施形態の端末装置３の構成の例を表すブロック図である。図２は、図１に示す端末装置３の構成を表す。
【００２８】
図２に示す端末装置３は、傘検出部２０１と、傘認証部２０２と、傘制御部２０３と、指示入力部２０４と、出力部２０５と、中継部２０６と、天気取得部２０７と、アラーム部２０８と、外出先記憶部２０９と、外出先設定部２１０とを含む。端末装置３は、さらに、端末位置検出部２１１と、傘位置要求部２１２とを含んでいてもよい。
【００２９】
傘検出部２０１は、傘２に含まれる傘制御装置１を検出することによって、傘２を検出する。傘検出部２０１は、例えば、傘制御装置１に応答を要求する、所定強度の電波による信号を放射すればよい。傘制御装置１は、その信号に対して応答するよう実装されていればよい。そして、傘検出部２０１は、放射した信号に対する傘制御装置１からの応答を検出することによって、傘制御装置１を検出すればよい。傘制御装置１が検出された場合、傘検出部２０１は、傘制御装置１に対する接続を確立する。その接続は、例えば、前述の限定的な接続である。
【００３０】
傘認証部２０２は、傘２が検出された場合、すなわち、傘制御装置１が検出された場合、上述の傘制御装置１の端末認証部１０７と、認証を行う。傘認証部２０２による認証が失敗した場合、前述のように、傘制御装置１は端末装置３との接続を切断する。傘認証部２０２による認証が失敗した場合、端末装置３が、傘制御装置１との接続を切断してもよい。傘認証部２０２による認証が成功した場合、例えば傘制御装置１が、傘制御装置１との接続を、傘制御装置１の端末認証部１０７以外の構成要素が端末装置３と通信可能な接続に変更する。傘認証部２０２による認証が成功した場合、例えば傘検出部２０１が、傘制御装置１との接続を、傘制御装置１の端末認証部１０７以外の構成要素が端末装置３と通信可能な接続に変更してもよい。
【００３１】
傘制御部２０３は、傘制御装置１から、例えば、傘２が施錠状態であるか解錠状態であるかを表すデータ値、傘２の開閉状態、傘制御装置１の位置情報等を受信する。傘制御部２０３は、端末装置３のユーザによる指示に基づき、施錠指示又は解錠指示を、傘制御装置１に送信する。
【００３２】
指示入力部２０４は、端末装置３のユーザによる指示を入力する。ユーザによる指示は、例えば、傘２の状態を解錠状態に設定する指示である。傘２の状態を解錠状態に設定する指示は、例えば、あらかじめ定められた解錠操作によって行われればよい。ユーザによる指示は、例えば、傘２の状態を施錠状態に設定する指示であってもよい。傘２の状態を施錠状態に設定する指示は、例えば、あらかじめ定められた施錠操作によって行われればよい。指示入力部２０４は、例えば、タッチパネルにより実現される。指示入力部２０４は、例えば、キーボードによって実現されてもよい。
【００３３】
出力部２０５は、解錠操作を促す表示を行う。出力部２０５は、加えて、解錠操作を促す指示を行ってもよい。出力部２０５は、例えば、タッチパネルやタッチパネルではない表示装置によって実現される。その場合、指示を促す表示は、表示画面に表示される画像や文字によって行われる。出力部２０５は、スピーカなどによって実現されてもよい。その場合、指示を促す表示は、音や、他の方法に行われればよい。
【００３４】
中継部２０６は、傘制御装置１による天気情報サーバ５に対するデータの送信を中継する。すなわち、中継部２０６は、傘制御装置１が天気情報サーバ５に送信するデータを受信する。中継部２０６は、傘制御装置１から受信したデータを、天気情報サーバ５に送信する。傘制御装置１が天気情報サーバ５に送信するデータは、例えば、傘制御装置１の位置を表す位置情報である。
【００３５】
天気取得部２０７は、天気情報サーバ５から、例えば後述の外出先記憶部２０９に格納されている位置情報が表す場所における天気を受信する。天気取得部２０７は、例えばアラーム部２０８からの、位置情報が特定された要求に応じて、天気を受信してもよい。
【００３６】
アラーム部２０８は、傘検出部２０１により傘２が検出された場合、例えば、天気取得部２０７から、例えば後述の外出先記憶部２０９に格納されている位置情報が表す場所における、天気を受信する。受信した天気が傘が必要な天気であることを表す場合、アラーム部２０８は、例えば出力部２０５を介して、アラームを発する。アラーム部２０８は、外出先記憶部２０９に格納されている位置情報を読み出してもよい。アラーム部２０８は、読み出した位置情報が表す位置における天気の要求を、天気取得部２０７に送信してもよい。アラーム部２０８は、天気として、例えば降水確率を受信してもよい。アラーム部２０８は、受信した降水確率が所定の閾値より大きい場合、受信した天気が傘が必要な天気であると判定してもよい。
【００３７】
外出先記憶部２０９は、例えば端末装置３のユーザの外出先の場所を表す位置情報（すなわち、外出先の位置情報）が格納されている。外出先の位置情報は、例えば指示入力部２０４を介して、あらかじめ外出先記憶部２０９に格納されていてもよい。外出先の位置情報は、後述する外出先設定部２１０によって、外出先記憶部２０９に格納されてもよい。
【００３８】
外出先設定部２１０は、たとえば、端末装置３に格納されているユーザのスケジュールと例えば天気情報サーバ５やネットワーク４に接続されている他のサーバ（図示されない）が記憶する地図情報に基づき、ユーザの外出先の場所を特定する。外出先設定部２１０は、特定した、ユーザの外出先の場所を表す位置情報を、外出先記憶部２０９に格納する。
【００３９】
端末位置検出部２１１は、端末装置３の位置を検出する。端末位置検出部２１１は、位置検出部１０４と同様、例えばＧＰＳによって位置を検出すればよい。
【００４０】
傘位置要求部２１２は、例えば、指示入力部２０４を介したユーザによる指示に基づき、傘２の位置を要求する傘位置要求を、天気情報サーバ５に送信する。傘位置要求は、傘２の識別子である傘識別子を含む。傘位置要求部２１２は、傘識別子を傘位置要求として、天気情報サーバ５に送信する。傘位置要求部２１２は、天気情報サーバ５から、傘２の位置を受信する。傘位置要求部２１２は、受信した傘２の位置を、出力部２０５に表示する。傘位置要求部２１２は、傘２の位置を、例えば、地図に重畳された図形によって表示してもよい。傘位置要求部２１２は、傘２の位置を、傘２の位置を表す、例えば地名や緯度及び経度等を、文字によって表示してもよい。
【００４１】
次に、本実施形態の天気情報サーバ５について、図面を参照して詳細に説明する。
【００４２】
図３は、本実施形態の天気情報サーバ５の構成の例を表すブロック図である。図３は、図１における、互いに通信することができる端末装置３及び天気情報サーバ５の部分を表す。図３において、傘制御装置１、傘２、ネットワーク４、及び端末装置３の詳細な構成は省略されている。なお、天気情報サーバ５は、複数の端末装置３と通信可能であってもよい。
【００４３】
図３を参照すると、天気情報サーバ５は、傘情報受信部５０１と、傘情報記憶部５０２と、傘情報提供部５０６と、天気推定部５０３と、天気記憶部５０４と、天気提供部５０５と、傘情報提供部５０６とを含む。
【００４４】
傘情報受信部５０１は、傘情報として、傘２の位置（すなわち傘制御装置１の位置）を表す位置情報と、傘２の識別子とを、傘制御装置１又は端末装置３から受信する。傘２の識別子は、傘制御装置１の識別子であってもよい。傘情報受信部５０１は、受信した位置情報と傘２の識別子との組を、傘情報記憶部５０２に格納する。
【００４５】
傘情報提供部５０６は、端末装置３から、傘２の識別子である傘識別子を受信する。傘情報提供部５０６は、受信した傘識別子に関連する位置情報を、その傘識別子を送信した、例えば端末装置３に送信する。
【００４６】
天気記憶部５０４は、複数の地域における天気をあらかじめ記憶している。
【００４７】
天気推定部５０３は、天気記憶部５０４が記憶する天気に基づき、後述する天気提供部５０５が受信した位置情報が表す場所における天気を推定する。天気推定部５０３は、例えば、受信した位置情報が表す場所を含む地域、あるいは、受信した位置情報が表す場所に最も近い地域における天気を選択すればよい。天気推定部５０３は、選択した天気を、天気提供部５０５が受信した位置情報が表す場所における天気の推定結果にすればよい。
【００４８】
天気提供部５０５は、端末装置３から、位置情報を受信する。天気提供部５０５は、天気推定部５０３が推定した、端末装置３から受信した位置情報が表す場所における天気を、その端末装置３に送信する。
【００４９】
次に、傘２について、図面を参照して詳細に説明する。傘２は、傘制御装置１を含む笠である。傘２は、傘制御装置１の施錠部１０２によって、開かない状態になる。
【００５０】
まず、一般的な傘について説明する。
【００５１】
図４、図５、及び図６は、開かれる傘の構成を模式的に表す図である。図４は、閉じた状態の傘を模式的に表す。図５は、少し開かれた状態の傘を模式的に表す。図６は、開かれた状態の傘を模式的に表す。傘の骨が接続された「下ろくろ」と呼ばれる部材を、傘の軸であるシャフト（中軸とも呼ばれる）に沿ってスライドさせることによって、下ろくろに接続されている骨が傘布を押し開く。それにより傘は開く。なお、傘の使用者が傘を保持する部分は、「手元」、「ハンドル」等と呼ばれる。本実施形態の説明では、傘の使用者が傘を保持する部分を、「ハンドル部」と表記する。
【００５２】
図７は、傘の構成の一部分を模式的に表す第１の図である。図７には、開かれた状態である傘の、ハンドル部及びハンドル部が接続されているシャフトの一部が描かれている。図７では、傘の他の部分は省略されている。一般に、シャフトの、ハンドル部が接続されている部分の近くに、「下はじき」と呼ばれる、傘が閉じられた状態で、傘が不用意に開かないように下ろくろを留める部材があることが多い。下はじきは、下ろくろを留める部分と、指で押す部分とを含む部材である。下はじきは、指で押す部分の先端部を除き、例えば金属製である。下はじきの他の部分は、主に、シャフトの内部に存在する。図７に示す例では、三角形の突起が、下ろくろを留める部分である。また、先端が太い突起が、指で押す部分である。下はじきは、指で押す部分に、シャフトの軸におおむね向かう方向の力が加わると、下ろくろを留める部分と、指で押す部分の少なくとも一部とが、シャフト内部に押し込まれる方向に動くよう、シャフトに固定されている。このような、下ろくろをシャフトに押し込む方向に動かす力を、以下の説明では、「押し込む力」と表記する。また、シャフトの内部には、下はじきに力が加えられなくなると、下はじきが力が加えられる前の位置に戻るよう、ばねが配置されている。
【００５３】
図８及び図９は、傘の構成の一部分を模式的に表す図である。図８には、閉じられた状態にある傘の、下はじきが取り付けられている部分の周囲が描かれている。下ろくろは、シャフトが貫通する、例えば円筒型の部材である。下ろくろには、下ろくろを留める部分が出る穴が開けられている。その穴に下ろくろが入ることによって、下はじきは、傘が開かないように下ろくろを留める。図９は、図８に描かれている部分が、その穴に正対する方向において描かれた図である。指で押す部分が押されると、下はじき全体がシャフト内に押し込まれる方向に動くことによって、下ろくろを留める部分が、シャフト内に押し込まれる。下ろくろを留める部分が、下ろくろに開けられた穴から出ることによって、下ろくろはシャフトに沿ってスライドできる状態になる。
【００５４】
図１０は、本実施形態の傘２の一部分の断面の例を模式的に表す第１の図である。図１０には、傘２の、図８及び図９に描かれている部分の断面が描かれている。本実施形態の傘２は、さらに、傘制御装置１を含む。図１０では、傘制御装置１の施錠部１０２以外の部分は省略されている。なお、後述される図１１及び図１２でも同様に、傘制御装置１の施錠部１０２以外の部分は省略されている。
【００５５】
施錠部１０２は、ロック部１１１と施錠制御部１１２とを含む。施錠制御部１１２は、下はじきと施錠制御部１１２との間の相対的な位置が変化しないよう固定されている。ロック部１１１は、施錠制御部１１２による制御によって、シャフトの軸方向又は略軸方向に動く。施錠制御部１１２は、例えば通信部１０１からの送信される信号に従って、ロック部１１１を、シャフトの軸方向又は略軸方向に動かす。施錠制御部１１２は、さらに、少なくとも、ロック部１１１が下はじきの動きを阻害する位置で、ロック部１１１を固定する。
【００５６】
図１０に描かれている状態では、下はじきは可動である。すなわち、下はじきに押し込む力が加えられた場合、下はじきは、シャフト内に潜り込むように動く。図１０は、解錠状態における、施錠部１０２の一例を表す。例えば、通信部１０１が解錠指示を受信した場合、通信部１０１は、解錠指示を表す信号を施錠部１０２の施錠制御部１１２に送信すればよい。解錠指示を表す信号を受信した施錠制御部１１２は、例えば図１０に描かれている位置にまでロック部１１１を動かせばよい。そして、施錠制御部１１２は、図１０に描かれている位置にロック部１１１を固定すればよい。
【００５７】
図１１は、本実施形態の傘２の一部分の断面の例を模式的に表す第２の図である。図１１は、下はじきに押し込む力が加えられている状態における、下はじきに近い部分におけるシャフトの断面を表す。
【００５８】
図１２は、本実施形態の傘２の一部分の断面の例を模式的に表す第３の図である。図１２に描かれている状態では、ロック部１１１が、下はじきの動きを阻害する位置に移動している。図１２は、施錠状態における、施錠部１０２の一例を表す。図１２に示す状態において、ロック部１１１は、下ろくろが傘２が開く方向にスライドする状態にならないよう、下はじきの可動範囲を制限していればよい。例えば、通信部１０１が施錠指示を受信した場合、通信部１０１は、施錠指示を表す信号を施錠部１０２の施錠制御部１１２に送信すればよい。施錠指示を表す信号を受信した施錠制御部１１２は、例えば図１２に描かれている位置にまでロック部１１１を動かせばよい。そして、施錠制御部１１２は、図１２に描かれている位置にロック部１１１を固定すればよい。
【００５９】
ロック部１１１の形状及びロック部１１１の可動範囲は、下はじきに押し込む力が加えられていない場合に、図１０に示す位置と、図１２に示す位置とに、ロック部１１１が移動できるように設計されていればよい。
【００６０】
次に、開閉検出部１０３について、図面を参照して詳細に説明する。前述のように、開閉検出部１０３は、傘２が開かれた状態にあるか、あるいは閉じられた状態にあるかを表す開閉状態を検出する。開閉検出部１０３は、開閉状態を検出する開閉センサ１１３を使用して実現される。開閉センサ１１３は、例えば、傘２が閉じられた状態において下ろくろが位置するシャフト上の場所に、下ろくろが存在するか否かを検出することにより、開閉状態を検出すればよい。
【００６１】
図１３は、傘２の開閉を検出する開閉センサ１１３の一例を模式的に表す第１の図である。図１３は、傘２が閉じられている状態における、開閉センサ１１３が取り付けられている場所付近のシャフトの断面を模式的に表す。図１３に示す開閉センサ１１３は、開閉センサ１１３から突き出した、可動なピン１１４を備える。ピン１１４は、ピン１１４の軸方向又は略軸方向に動きうる。開閉センサ１１３は、ピン１１４に力が加えられていない場合、例えばばねによって、ピン１１４が押し込まれていない状態が保たれるよう設計されていればよい。開閉センサ１１３は、ピン１１４が所定量以上開閉センサ１１３に押し込まれているか否かを検出する。開閉センサ１１３は、シャフトに取り付けられている。開閉センサ１１３がシャフトに取り付けられている位置は、傘２が閉じられている場合、下ろくろによってピン１１４が前述の所定量以上押し込まれる位置である。図１３に示す例では、傘２は閉じられているので、ピン１１４は、下ろくろによって開閉センサ１１３に所定量以上押し込まれている。以下の説明では、ピン１１４が所定量以上押し込まれている状態を、「閉状態」と表記する。
【００６２】
図１３では、簡単のため、ばねや施錠部１０２等は描かれていない。図１３及び以下の説明では、ピン１１４を備える開閉センサ１１３と、開閉検出部１０３とは、通信可能に接続された別の部である。しかし、開閉検出部１０３は、開閉センサ１１３を含んでいてもよい。
【００６３】
開閉センサ１１３が閉状態にある場合、開閉センサ１１３は、開閉検出部１０３に、閉状態にあることを表す信号を送信すればよい。開閉検出部１０３は、開閉センサ１１３から閉状態にあることを表す信号を受信した場合、傘２が閉じられていると判定すればよい。
【００６４】
図１４は、傘２の開閉を検出する開閉センサ１１３の一例を模式的に表す第２の図である。図１４は、傘２が開かれている状態における、開閉センサ１１３が取り付けられている場所付近のシャフトの断面を模式的に表す。図１４に示す例では、傘２が開かれることによって下ろくろが図の上方に移動しているため、ピン１１４は下ろくろに接触していない。前述のように、開閉センサ１１３は、ピン１１４に力が加えられていない場合、ピン１１４が開閉センサ１１３に押し込まれない状態に保たれるよう設計される。図１４に描かれている状態では、ピン１１４は、開閉センサ１１３に押し込まれていない。従って、開閉センサ１１３は、ピン１１４が所定量以上押し込まれていないいないことを検出する。以下の説明では、ピン１１４が所定量以上押し込まれていない状態を、「開状態」と表記する。
【００６５】
開閉センサ１１３が開状態にある場合、開閉センサ１１３は、開閉検出部１０３に、開状態にあることを表す信号を送信すればよい。開閉検出部１０３は、開閉センサ１１３から開状態にあることを表す信号を受信した場合、傘２が閉じられていない（すなわち、開かれている）と判定すればよい。開閉検出部１０３は、傘２が閉じられている状態以外の状態にある場合、すなわち、傘２が少しでも開かれている状態にある場合、傘２が開かれていると判定すればよい。
【００６６】
なお、開閉検出部１０３は、シャフトに取り付けられた、電気伝導体であるピン１１４を備える、２個の開閉センサ１１３を使用して、２個の開閉センサ１１３のピン１１４の間の電気抵抗の大きさに基づき、傘２の開閉状態を検出してもよい。その場合、２個の開閉センサ１１３は、シャフトの、傘２が閉じられている場合、双方の開閉センサ１１３のピン１１４が下ろくろに接触する位置に取り付けられていればよい。そして、少なくとも一方の開閉センサ１１３は、傘２が閉じられていない場合、その開閉センサ１１３のピン１１４が下ろくろに接触しない位置に取り付けられていればよい。さらに、下ろくろには、例えば金属プレートなどの電気伝導体が固定されていればよい。その電気伝導体は、下ろくろの、傘２が閉じられている状態ではその電気伝導体が双方の開閉センサ１１３のピン１１４に接触し、傘２が閉じられていない状態では電気伝導体が少なくとも一方のピン１１４に接触しない位置に固定されていればよい。その場合、２個の開閉センサ１１３のピン１１４の間の電気抵抗が、例えばあらかじめ適切に設定された所定値より低い状態が、前述の閉状態に相当する。同様に、２個の開閉センサ１１３のピン１１４の間の電気抵抗率がその所定値より高い状態が、前述の解錠対に相当する。開閉検出部１０３は、２個のピン１１４の間の電気伝導率があらかじめ適切に設定された所定値より低い場合、傘２が閉じられていると判定すればよい。さらに、開閉検出部１０３は、２個のピン１１４の間の電気伝導率がその所定値より高い場合、傘２が開かれていると判定すればよい。
【００６７】
また、開閉検出部１０３は、開閉センサ１１３と同様の構成のセンサによって、下はじきの位置を検出してもよい。その場合、開閉センサ１１３が閉状態にあり、下はじきが所定量以上シャフトに押し込まれていない場合、開閉検出部１０３は、傘２が閉じられていると判定すればよい。それ以外の場合、開閉検出部１０３は、傘２が開かれていると判定すればよい。
【００６８】
また、傘制御装置１は、傘２のハンドル部に含まれていてもよい。そして、施錠部１０２の施錠制御部１１２は、傘２のハンドル部に固定されていてもよい。さらに、傘２のハンドル部とシャフトとは、着脱可能であればよい。
【００６９】
図１５は、シャフトとハンドル部が分離可能な傘２の構成の例を模式的に表す第１の図である。図１５には、分離された状態におけるシャフト及びハンドル部の、互いに締結される部分の断面が模式的に描かれている。シャフトのねじ部と、ハンドル部のねじ部の位置には、互いに締結することが可能なねじ山が形成されている。図１５に描かれている施錠部１０２は解錠状態である。
【００７０】
図１６は、シャフトとハンドル部が分離可能な傘２の構成の例を模式的に表す第２の図である。図１５には、締結された状態におけるシャフト及びハンドル部の断面が、模式的に描かれている。図１６に描かれている施錠部１０２は、施錠状態である。
【００７１】
さらに、シャフトの端部には、ロック部１１１を挿入することができる穴が開けられている部材が固定されている。その部材は、図１５、図１６、及び後述の図１７では、「蓋」と表記される。
【００７２】
施錠部１０２がハンドル部に取り付けられる位置は、シャフトとハンドル部が締結されていても、解錠状態において、ロック部１１１がシャフトの蓋の穴に挿入されない位置である。さらに、施錠部１０２がハンドル部に取り付けられる位置は、シャフトとハンドル部が締結されている場合、施錠状態においてロック部１１１がシャフトの蓋の穴に挿入される位置である。
【００７３】
蓋にあけられた穴及びロック部１１１は、シャフトとハンドル部が締結されている状態でロック部１１１が穴に挿入された場合、互いに締結されたシャフトとハンドル部とを分離できないように形成されていればよい。例えば、ロック部１１１の断面が多角形であってもよい。穴の形状は、ロック部１１１を挿入することができる形状である。穴及びロック部１１１の形状及び位置は、シャフトとハンドル部とが締結され、ロック部１１１がシャフトの蓋の穴に挿入されている状態で、ハンドル部がシャフトに対して所定角度以上回転しないよう選択されていればよい。穴とロック部１１１の断面との形状として、様々な形を採用することができる。シャフトの中心軸が穴の中心を通っている必要はない。
【００７４】
図１７は、シャフト及び施錠部１０２の一例を模式的に表す図である。図１７ではシャフト及び施錠部１０２以外の部材は描かれていない。図１７に示す例では、穴の形状と、ロック部１１１の断面の形状とは、共に三角形である。穴の大きさとロック部１１１の断面の大きさとの差は、シャフトとハンドル部とが締結され、ロック部１１１がシャフトの蓋の穴に挿入されている状態で、ハンドル部がシャフトに対して所定角度以上回転しないよう調整されていればよい。
【００７５】
図１７には、さらに、開閉センサ１１３と開閉検出部１０３とを通信可能に接続する信号線（信号線１１５及び信号線１１６）が描かれている。施錠部１０２側の信号線１１５の先端には、端子１１７が取り付けられている。シャフト側の信号線１１６には、端子１１８が取り付けられている。シャフトと、施錠部１０２が固定されているハンドル部は、シャフトとハンドル部が締結された状態で、端子１１７及び端子１１８互いに接触するよう設計されている。そして、端子１１７及び端子１１８互いに接触することによって、信号線１１５と信号線１１６とが通信可能に接続される。信号線１１５と信号線１１６とが通信可能に接続されている状態では、開閉センサ１１３及び開閉検出部１０３通信可能に接続される。
【００７６】
以上で説明した、施錠部１０２の構成及び開閉検出部１０３の構成は、それぞれ、単なる例である。施錠部１０２の構成及び開閉検出部１０３の構成は、以上で説明した構成に限定されない。
【００７７】
次に、本実施形態の傘制御装置１の動作について、図面を参照して詳細に説明する。
【００７８】
図１８は、端末装置３が傘制御装置１にアクセスを開始する場合における、本実施形態の傘制御装置１の動作の例を表すフローチャートである。
【００７９】
通信部１０１は、端末装置３からのアクセスを検出する（ステップＳ１０１）。すなわち、通信部１０１は、端末装置３からのアクセスの有無を検出する。通信部１０１は、傘制御装置１と端末装置３との間の通信において使用される通信プロトコルに応じた方法で、端末装置３からのアクセスの有無を検出すればよい。前述のように、傘制御装置１と端末装置３との間の通信は、例えば近距離無線通信である。その場合、端末装置３からのアクセスがある状態では、端末装置３を保持するユーザは、傘制御装置１の近くすなわち傘２の近くにいる可能性が高い。
【００８０】
端末装置３からのアクセスが検出されない場合（ステップＳ１０２においてＮｏ）、傘制御装置１は、ステップＳ１０１に示す動作を繰り返す。すなわち、通信部１０１は、端末装置３からのアクセスの有無の検出を継続する。
【００８１】
端末装置３からのアクセスが検出された場合（ステップＳ１０２においてＹｅｓ）、通信部１０１は、端末認証部１０７のみが端末装置３と通信する状態で、端末装置３に接続する。そして、端末認証部１０７は、端末装置３の端末認証を行う（ステップＳ１０３）。端末認証部１０７は、ステップＳ１０３の認証において、アクセスが検出された端末装置３が、あらかじめ傘制御装置１に登録されている登録端末であるか否かを判定する。端末装置３が登録端末でないと判定された場合、端末認証は失敗する。さらに、端末装置３も、傘制御装置１が端末装置３に登録されている傘２の傘制御装置１であるか否かを判定する。傘制御装置１が端末装置３に登録されている傘２の傘制御装置１でないと判定された場合、端末認証は失敗する。端末装置３が登録端末であると判定され、さらに、傘制御装置１が端末装置３に登録されている傘２の傘制御装置１あると判定された場合、端末認証は成功する。端末認証が失敗した場合（ステップＳ１０４においてＮｏ）、傘制御装置１は、図１８に示す動作を終了する。すなわち、傘制御装置１は、端末装置３からアクセスを拒否する。その場合、傘制御装置１は、傘２の状態を変更しない。
【００８２】
端末認証が成功した場合（ステップＳ１０４においてＹｅｓ）、通信部１０１は、端末装置３との接続を確立する（ステップＳ１０５）。すなわち、通信部１０１は、認証部１０７以外の部も端末装置３にアクセスできる状態で、端末装置３に接続する。
【００８３】
傘２が施錠状態でない場合（ステップＳ１０６においてＮｏ）、傘制御装置１は、図１８に示す動作を終了する。傘２が施錠状態ではないので、端末装置３のユーザは、傘２を使用することができる。前述のように、状態値送信部１０６は、傘２が施錠状態にあるか否かを表す状態値を保持している。例えば状態値送信部１０６が、その状態値に基づき、傘２が解錠状態であるか否かを判定すればよい。
【００８４】
傘２が施錠状態である場合（ステップＳ１０６においてＹｅｓ）、状態値送信部１０６は、例えば通信部１０１を介して、解錠確認を端末装置３に送信する（ステップＳ１０７）。解錠確認は、例えば、あらかじめ定められた、傘２が施錠状態であることを表す値であればよい。解錠確認は、前述の状態値であってもよい。端末装置３は、解錠確認を受信した場合、例えば、天気情報サーバ５から、天気情報を取得すればよい。そして、その天気情報が傘が必要な天気を表す場合、端末装置３は、解錠指示等の指示の入力を促す表示を、出力部２０５に表示すればよい。
【００８５】
次に、傘２を検出する場合における、本実施形態の端末装置３の動作について、図面を参照して詳細に説明する。
【００８６】
図１９は、傘２を検出する場合における、本実施形態の端末装置３の動作の例を表すフローチャートである。
【００８７】
まず、傘検出部２０１が、傘制御装置１を検出することにより、傘２を検出する（ステップＳ２０１）。傘検出部２０１は、端末装置３と傘制御装置１との間の通信において使用される通信プロトコルに応じた方法で、傘制御装置１を検出すればよい。傘２が検出されない場合（ステップＳ２０２においてＮｏ）、傘検出部２０１は、ステップＳ２０１の動作を繰り返す。すなわち、傘検出部２０１は、傘２を検出する動作を継続する。
【００８８】
傘２が検出された場合（ステップＳ２０２においてＹｅｓ）、傘認証部２０２は、傘制御装置１にアクセスする。そして、傘認証部２０２は、端末認証を行う（ステップＳ２０２）。ステップＳ２０２において端末認証が成功する条件は、図１８に示すステップＳ１０３の動作の述べられた条件と同じである。端末認証が失敗した場合（ステップＳ２０４においてＮｏ）、図１９に示す端末装置３の動作は終了する。
【００８９】
端末認証が成功した場合（ステップＳ２０４においてＹｅｓ）、アラーム部２０８は、外出先記憶部２０９から、端末装置３のユーザの外出先の場所を表すデータ値を読み出す（ステップＳ２０５）。外出先記憶部２０９に格納されている、外出先の場所を表すデータ値は、例えば、外出先設定部２１０によってあらかじめ設定されている。外出先記憶部２０９に格納されている、外出先の場所を表すデータ値は、端末装置３のユーザによって、指示入力部２０４を使用して入力されていてもよい。
【００９０】
天気取得部２０７は、天気情報サーバ５から、読み出された外出先の場所における天気情報を取得する（ステップＳ２０６）。
【００９１】
読み出された天気情報が、雨の可能性が高いことを表さない場合（ステップＳ２０７においてＮｏ）、端末装置３は、図１９に示す動作を終了する。雨の可能性が高くなければ、傘２は必要がない可能性が高い。例えばアラーム部２０８が、読み出された天気情報が、雨の可能性が高いことを表すか否かを判定すればよい。天気情報は、例えば天気予報の降水確率である。その場合、アラーム部２０８は、降水確率が所定値より高い場合、雨の可能性が高いと判定すればよい。天気情報は、観測された、又は推定された降雨の有無であってもよい。
【００９２】
読み出された天気情報が、雨の可能性が高いことを表す場合（ステップＳ２０７においてＹｅｓ）、アラーム部２０８は、アラームを発する。アラーム部２０８は、例えば、表示部２０５に、雨を注意する表示を行う。アラーム部２０８は、さらに、端末装置３が備えるスピーカ（図示されない）を使用して、音を発生させてもよい。
【００９３】
前述のように、傘２が施錠状態である場合、傘制御装置１は、解錠確認を送信する。傘制御装置１が解錠確認を送信した婆、例えば、傘制御部２０３が、その解錠確認を受信する。
【００９４】
傘制御部２０３が傘制御装置１から解錠確認を受信しない場合（ステップＳ２０９においてＮｏ）、端末装置３は、図１９に示す動作を終了する。その場合、傘２は解錠状態である。そして、端末装置３のユーザは、傘２の状態を解錠状態に変更しなくても、傘２を使用することができる。
【００９５】
傘制御部２０３が傘制御装置１から解錠確認を受信しない場合（ステップＳ２０９においてＹｅｓ）、傘制御部２０３は、出力部２０５に、指示の入力を促す画面を表示する。そして、傘制御部２０３は、端末装置３のユーザが入力する操作が表す指示を判別する（ステップＳ２１０）。傘制御部２０３は、例えば、タッチパネルである表示部２０５に、「解錠」、「施錠」を表示すればよい。そして、傘制御部２０３は、ユーザが触れたタッチパネルにおける位置に応じて、ユーザの指示が「解錠」であるか「施錠」であるかを判定すればよい。
【００９６】
そして、傘制御部２０３は、ユーザによる操作に応じた指示を、傘制御装置１に送信する（ステップＳ２１１）。ユーザの指示が「解錠」であると判定された場合、傘制御部２０３は、傘制御装置１に対して、解錠指示を送信する。ユーザの指示が「施錠」であると判定された場合、傘制御部２０３は、傘制御装置１に対して、施錠指示を送信する。そして、端末装置３は、図１９に示す動作を終了する。
【００９７】
次に、端末装置３から指示を受信する場合における、本実施形態の傘制御装置１動作について、図面を参照して詳細に説明する。
【００９８】
図２０は、端末装置３から指示を受信する場合における、本実施形態の傘制御装置１動作を表すフローチャートである。図２０に示す動作の開始時において、傘制御装置１と端末装置３との間の通信は確立されている。
【００９９】
通信部１０１は、端末装置３から指示を受信する（ステップＳ３０１）。通信部１０１は、端末装置３から指示を受信できる状態で待機していればよい。
【０１００】
通信部１０１が端末装置３から指示を受信した場合（ステップＳ３０２においてＹｅｓ）、通信部１０１は、受信した指示を判別する。
【０１０１】
受信した指示が施錠指示でない場合（ステップＳ３０４においてＮｏ）、受信した指示が解錠指示でもなければ（ステップＳ３０８においてＮｏ）、傘制御装置１は、図２０に示す動作を終了する。その場合、傘制御装置１は、受信した指示に応じた図示されない動作を行った後、図２０に示す動作を終了してもよい。受信した指示が施錠指示ではなく、解錠指示である場合（ステップＳ３０８においてＹｅｓ）、施錠部１０２は、傘２の状態を、解錠状態に設定する（ステップＳ３０９）。ステップＳ３０９の動作の後、傘制御装置１は、図２０に示す動作を終了する。傘制御装置１は、図２０に示す動作を終了した場合、図２０に示す動作を繰り返してもよい。
【０１０２】
受信した指示が施錠指示である場合（ステップＳ３０４おいてＹｅｓ）、開閉検出部１０３は、傘２の開閉状態を検出する（ステップＳ３０５）。傘２が閉じられていない場合、すなわち、検出された開閉状態が傘２が開かれている状態を表す場合（ステップＳ３０６においてＮｏ）、傘制御装置１は、図２０に示す動作を終了する。
【０１０３】
傘２が閉じられている場合、すなわち、検出された開閉状態が傘２が閉じられている状態を表す場合（ステップＳ３０６においてＹｅｓ）、施錠部１０２は、傘２の状態を施錠状態に変更する（ステップＳ３０７）。ステップＳ３０７において、傘２が施錠状態である場合、施錠部１０２は傘２の状態を施錠状態に保てばよい。ステップＳ３０７の動作の後、傘制御装置１は、図２０に示す動作を終了する。
【０１０４】
通信部１０１が端末装置３から指示を受信しない場合（ステップＳ３０２においてＮｏ）、接続部１０１は、端末装置３への接続が切断されているか否かを判定する。通信部１０１は、例えば、あらかじめ定められた所定時間、端末装置３から指示が送信されない場合、通信部１０１は端末装置３から指示を受信しないと判定すればよい。端末装置３への接続が切断されていない場合（ステップＳ３０３においてＮｏ）、通信部１０１は、ステップＳ３０１の動作を繰り返す。
【０１０５】
端末装置３への接続が切断されている場合（ステップＳ３０３においてＹｅｓ）、開閉検出部１０３は、傘２の開閉状態を検出する（ステップＳ３０５）。傘２が閉じられていない場合（ステップＳ３０６においてＮｏ）、傘制御装置１は、図２０に示す動作を終了する。傘２が閉じられていない場合（ステップＳ３０６においてＮｏ）、傘制御装置１は、開閉検出部１０３が検出する傘２の開閉状態が、傘２が閉じられた状態に変化するまで、開閉検出部１０３によって傘２の開閉状態を検出しながら待機してもよい。傘２が閉じられている場合、すなわち、検出された開閉状態が、傘２が閉じられていることを表す場合、（ステップＳ３０６においてＹｅｓ）、施錠部１０２は、傘２の状態を施錠状態に変更する（ステップＳ３０７）。そして、傘制御装置１は、図２０に示す動作を終了する。
【０１０６】
次に、端末装置３に接続されておらず、端末装置３からのアクセスが無い場合における、本実施形態の傘制御装置１の動作について、図面を参照して詳細に説明する。
【０１０７】
図２１は、端末装置３に接続されておらず、端末装置３からのアクセスが無い場合における、本実施形態の傘制御装置１の動作を表すフローチャートである。図２１に示す動作を行う傘制御装置１の通信部１０１は、例えば端末装置３との通信において使用される近距離無線通信の機能だけでなく、さらに広域で無線通信を行える機能を備えていればよい。通信部１０１は、例えば、携帯電話やスマートフォンなどの移動体におけるデータ通信の機能を備えていてもよい。すなわち、通信部１０１は、データ通信装置としての携帯電話やスマートフォンなどが備える通信機能を備えていてもよい。
【０１０８】
通信部１０１は、通信可能なネットワークを検出する（ステップＳ４０１）。通信可能なネットワークは、例えば、公衆無線ＬＡＮや、前述の移動体データ通信のネットワークである。通信可能なネットワークが検出されない場合（ステップＳ４０２においてＮｏ）、通信部１０１は、ステップＳ４０１の動作を繰り返す。すなわち、通信部１０１は、通信可能なネットワークの検出を継続する。
【０１０９】
通信可能なネットワークが検出された場合（ステップＳ４０２においてＹｅｓ）、通信部１０１は、検出されたネットワークに接続する（ステップＳ４０３）。通信可能なネットワークは、そのネットワークを介して、傘制御装置１が端末装置３と通信することができるネットワークである。通信可能なネットワークは、例えば、図１に示すネットワーク４や、ネットワーク４に通信可能に接続されている他のネットワークである。通信可能なネットワークは、さらに、傘制御装置１が接続することができるネットワークである。
【０１１０】
さらに、位置検出部１０４は、傘２の位置として、傘制御装置１の位置を検出する（ステップＳ４０４）。通信部１０１は、接続したネットワークを介して、検出した位置を端末装置３に送信する（ステップＳ４０５）。そして、傘制御装置１は、図２１に示す動作を終了する。
【０１１１】
図２１に示す動作によって、端末装置３のユーザが傘２を紛失した場合であっても、傘２の場所を特定することができる。
【０１１２】
なお、ステップＳ４０５において、通信部１０１は、端末装置３の代わりに天気情報サーバ５に対して、位置を送信してもよい。その場合、傘制御装置１は、例えば所定時間毎に、図２１に示す動作を行えばよい。そして、天気情報サーバ５は、受信した位置と、その位置を送信した傘制御装置１の識別子とを関連付ければよい。そして、天気情報サーバ５は、受信した位置と、その位置を送信した傘制御装置１の識別子とを記憶していればよい。その場合、ユーザは、端末装置３を使用して、傘制御装置１の識別子を天気情報サーバ５に送信すればよい。ユーザは、指示入力部２０４を使用した操作によって、傘制御装置１の位置を要求する指示を行えばよい。その場合、例えば傘位置要求部２１２が、傘制御装置１の識別子を天気情報サーバ５に送信すればよい。いずれかの端末装置３から、傘制御装置１の識別子を受信した場合、天気情報サーバ５は、傘制御装置１の識別子を送信した端末装置３に対して、その傘制御装置１の識別子に関連付けられている場所を送信すればよい。傘位置要求部２１２は、天気情報サーバ５から、位置を受信する。そして、傘位置要求部２１２は、受信した位置を表示部２０５に表示する。以上により、端末装置３のユーザが傘２を紛失した場合であっても、傘２の場所を特定することができる。
【０１１３】
傘制御装置１が、端末装置３との通信で動作する近距離無線通信機能以外の、公衆無線ＬＡＮや移動体データ通信の機能を備えていない場合、通信部１０１は、端末装置３を介して天気情報サーバ５に位置を送信してもよい。その場合、中継部２０６が、傘制御装置１による天気情報サーバ５への位置の送信を中継すればよい。通信部１０１は、天気情報サーバ５への位置の送信を、端末装置３との通信が維持されている間、例えば定期的に行えばよい。天気情報サーバ５は、受信した位置とその位置を送信した傘制御装置１の識別子とを関連付け、互いに関連付けられた位置とその位置を送信した傘制御装置１の識別子とを記憶していればよい。傘制御装置１と端末装置３とが、近距離無線通信機能によって通信できる距離より離れた場合、傘制御装置１と端末装置３とは互いに通信できなくなる。傘制御装置１と端末装置３とが近距離無線通信機能によって通信できなくなった場合、傘制御装置１の場所は天気情報サーバ５に送信されなくなる。従って、天気情報サーバ５に記憶される傘制御装置１の最も新しい場所が、傘制御装置１すなわち傘２と端末装置３との距離が通信可能な距離を上回る直前の傘制御装置１の場所である。端末装置３のユーザが傘２を紛失した場合、天気情報サーバ５に記憶される傘制御装置１の最も新しい場所が、端末装置３のユーザが傘２を紛失した場所に近い可能性が高い。天気情報サーバ５は、端末装置３からの要求に応じて、最後に送信された傘制御装置１の場所を端末装置３に送信すればよい。以上により、端末装置３のユーザが傘２を紛失した場合であっても、傘２の場所を推定することができる。
【０１１４】
また、端末装置３の端末位置検出部２１１は、傘制御装置１との接続が維持されている間、例えば定期的に、端末装置３の位置を検出してもよい。そして、端末装置３は、少なくとも、傘制御装置１との接続が維持されている間に最後に検出された位置を記憶していればよい。以上によっても、端末装置３のユーザが傘２を紛失した場合であっても、傘２の場所を特定することができる。
【０１１５】
本実施形態には、傘２が盗難に遭うリスクを軽減させることができるという効果がある。その理由は、通信部１０１が受信した指示に応じて、施錠部１０２が、傘２の状態を施錠状態に設定するからである。
【０１１６】
＜第２の実施形態＞
次に、本発明の第２の実施形態の傘制御システム１００Ａについて、図面を参照して詳細に説明する。
【０１１７】
図２２は、本実施形態の傘制御システム１００Ａの構成の例を表すブロック図である。傘制御システム１００Ａは、図１に示す傘制御システム１００と比較すると、傘制御装置１の代わりに傘制御装置１Ａを含む。本実施形態の端末装置３の構成は、図２に示す、第１の実施形態の端末装置３の構成と同じである。本実施形態の端末装置３は、第１の実施形態の端末装置３と同じ機能を備える。また、本実施形態の端末装置３は、第１の実施形態の端末装置３と同じ動作を行うことができる。本実施形態の天気情報サーバ５の構成は、図１に示す、第１の実施形態の天気情報サーバ５の構成と同じである。本実施形態の天気情報サーバ５は、第１の実施形態の天気情報サーバ５と同じ機能を備える。本実施形態の天気情報サーバ５は、第１の実施形態の天気情報サーバ５と同じ動作を行うことができる。以下の説明では、本実施形態の傘制御装置１Ａの、第１の実施形態の傘制御装置１の構成や動作等と同じ構成や動作等に関する説明は、省略する。同様に、本実施形態の端末装置３の、第１の実施形態の端末装置３の構成や動作等と同じ構成や動作等に関する説明は、省略する。本実施形態の天気情報サーバ５の、第１の実施形態の天気情報サーバ５の構成や動作等と同じ構成や動作等に関する説明は、省略する。
【０１１８】
傘制御装置１Ａは、図１に示す傘制御装置１が含む構成要素に加えて、種別記憶部１０５を含んでいてもよい。傘制御装置１Ａが種別記憶部１０５を含まない場合、傘制御装置１Ａの構成は傘制御装置１の構成と同じである。
【０１１９】
種別記憶部１０５には、傘２が日傘であるか雨傘であるかを表す種別を記憶する。種別は、あらかじめ定められた、日傘又は雨傘を表すデータ値であればよい。種別は、例えば傘２の製造者によって、あらかじめ種別記憶部１０５に格納されていてもよい。種別は、端末装置３のユーザによって、種別記憶部１０５格納されてもよい。傘２が晴雨兼用である場合、晴雨兼用傘を表すデータ値が種別記憶部１０５に格納されていてもよい。傘２が晴雨兼用である場合、雨傘を表すデータ値が種別記憶部１０５に格納されていてもよい。
【０１２０】
状態値送信部１０６は、さらに、開閉検出部１０３よって検出された開閉情報を、天気情報サーバ５に送信する。状態値送信部１０６は、例えば、開閉検出部１０３によって検出される開閉状態が変化した場合、開閉情報を天気情報サーバ５に送信してもよい。状態値送信部１０６は、例えば定期的に、開閉情報を天気情報サーバ５に送信してもよい。傘制御装置１Ａが種別記憶部１０５を含む場合、状態値送信部１０６は、開閉状態に加えて、種別を天気情報サーバ５に送信してもよい。
【０１２１】
状態値送信部１０６は、通信部１０１と端末装置３の中継部２０６とを介して、天気情報サーバ５に開閉情報を送信してもよい。その場合、中継部２０６は、受信した開閉情報に加えて、端末位置検出部２１１によって検出された端末装置３の位置を、天気情報サーバ５に送信する。傘位置制御部１と端末装置３とが通信可能である場合、傘位置制御部１と端末装置３とは例えば近距離無線通信によって通信を行うので、傘位置制御部１と端末装置３との間の距離は近い可能性が高い。従って、端末位置検出部２１１によって検出された位置は、傘制御装置１Ａを含む傘２の位置と見なすことができる。
【０１２２】
傘制御装置１Ａが、例えば無線ＬＡＮ機能などの、端末装置３を経由せずネットワーク４に接続し、ネットワーク４を介して通信する機能を備えている場合、状態値送信部１０６は、ネットワーク４を介して、天気情報サーバ５に開閉情報を送信してもよい。その場合状態値送信部１０６は、開閉状態に加えて、位置検出部１０４によって検出された位置を、天気情報サーバ５に送信する。
【０１２３】
本実施形態の傘情報受信部５０１は、傘情報として、さらに、状態値送信部１０６によって送信された開閉情報と、状態値送信部１０６又は中継部２０６によって送信された位置とを受信する。傘情報受信部５０１は、傘情報として、さらに、傘２の種別を受信してもよい。傘情報受信部５０１は、さらに、受信した傘情報と、その傘情報に含まれる開閉状態の送信元である傘制御装置１Ａの識別子とを関連付ける。すなわち、傘情報受信部５０１は、少なくとも、傘情報に含まれる開閉情報と、その傘情報に含まれるその開閉情報を送信した傘制御装置１Ａの位置すなわちその傘制御装置１Ａを含む傘２の位置と、その傘制御装置１Ａの識別子とを関連付ける。傘情報が傘２の種別を含む場合、傘情報受信部５０１は、傘２の開閉情報と、その傘２の種別と、その傘２の位置と、その傘２が含む傘制御装置１Ａの識別子とを関連付ける。そして、傘情報受信部５０１は、傘制御装置１Ａの識別子に関連付けられた傘情報を、傘情報記憶部５０２に格納する。
【０１２４】
なお、開閉情報の受信時に、その開閉情報を送信した傘制御装置１Ａの識別子に関連付けられている場合、傘情報受信部５０１は、新たに受信した開閉情報によって古い開閉情報を上書きすればよい。
【０１２５】
天気推定部５０３は、傘情報記憶部５０２に格納されている、少なくとも、互いに関連付けられている、傘２の位置と開閉情報とに基づき、天気の分布を推定する。傘情報が傘２の種別を含む場合、天気推定部５０３は、関連付けられている、傘２の位置と開閉情報と種別とに基づき、天気の分布を推定する。
【０１２６】
例えば、天気情報サーバ５が、傘が必要な天気か否かを天気情報として提供する場合、傘情報は、傘の種別を含んでいなくてもよい。そして、日傘である傘２に含まれる傘制御装置１Ａの状態値送信部１０６は、開閉情報を天気情報サーバ５に送信しないよう設定されていればよい。
【０１２７】
傘情報が傘の種別を含まない場合、天気推定部５０３は、例えば、あらかじめ定められた地域ごとに、開いている傘と閉じている傘の割合を算出すればよい。そして、天気推定部５０３は、例えば、開いている傘の割合が閾値より大きい領域の天気を雨と推定すればよい。天気推定部５０３は、例えば、開いている傘の割合がその閾値より小さい領域の天気を雨と推定すればよい。天気推定部５０３による天気の推定に使用される閾値は、あらかじめ、例えば実験的に定められていればよい。
【０１２８】
傘情報が傘の種別を含む場合、天気推定部５０３は、あらかじめ定められた地域ごとに、例えば、日傘の中で開いている日傘の割合と、雨傘の中で開いている雨傘の割合とを算出すればよい。天気推定部５０３は、日傘の中で開いている日傘の割合と、雨傘の中で開いている雨傘の割合とに基づき、あらかじめ定められた各領域の天気を、例えば以下のように推定すればよい。天気推定部５０３は、日傘の中で開いている日傘の割合が第１の閾値を越える領域の天気を、晴れと判定すればよい。さらに、天気推定部５０３は、雨傘の中で開いている雨傘が第２の閾値を越える領域の天気を、雨と判定すればよい。天気推定部５０３は、日傘の中で開いている日傘の割合が第１の閾値未満であり、雨傘の中で開いている雨傘が第２の閾値未満である領域の天気を、曇りと判定すればよい。
【０１２９】
以上で説明した天気を推定する方法は単なる一例である。天気推定部５０３は、他の方法で天気を推定し柄ｔもよい。
【０１３０】
天気推定部５０３は、推定した天気を表すデータ値を、天気記憶部５０４に格納する。天気推定部５０３は、領域を表す識別子と、推定した、その領域における天気を表すデータ値とを関連付ければよい。天気推定部５０３は、領域を表す識別子に関連付けられている、天気を表すデータ値を、天気記憶部５０４に格納する。
【０１３１】
天気提供部５０５は、端末装置３から、例えば、その端末装置３の位置を含む天気の要求を受信する。天気提供部５０５は、天気の要求を送信した端末装置３の位置が含まれる領域における天気を、天気記憶部５０４から読み出す。天気提供部５０５は、読み出した天気を、天気の要求を送信した端末装置３に送信する。
【０１３２】
次に、本実施形態の傘推定装置１Ａの動作について、図面を参照して詳細に説明する。
【０１３３】
図２３は、開閉状態を送信する場合における、本実施形態の傘推定装置１Ａの動作の例を表すフローチャートである。
【０１３４】
開閉検出部１０３は、傘２の開閉状態を検出する（ステップＳ５０１）。検出された傘２の開閉状態が、前回の検出において検出された状態と同じ場合（ステップＳ５０２においてＮｏ）、開閉検出部１０３は、ステップＳ５０１の、傘２の開閉状態を検出する動作を繰り返す。検出された傘２の開閉状態が、前回の検出において検出された状態から変化した場合（ステップＳ５０２においてＹｅｓ）、位置検出部１０４は、位置を検出する（ステップＳ５０３）。そして、状態値送信部１０６は、傘２の開閉状態と、検出された位置とを、傘情報として天気情報サーバ５に送信する（ステップＳ５０４）。傘制御装置１Ａが種別記憶部１０５を含み、そして種別記憶部１０５に傘２の種別が格納されている場合、ステップＳ５０４において、状態値送信部１０６は、さらに、傘２の種別を、傘情報として天気情報サーバ５に送信する。
【０１３５】
なお、ステップＳ５０３の動作である位置の検出を、ステップＳ５０２の前に行ってもよい。そして、ステップＳ５０２では、状態値送信部１０６は、前回送信された傘情報と比較して、傘２の開閉状態の変化と、位置の所定距離以上の変化との少なくとも一方が生じたか否かを判定すればよい。それらの２つの変化の少なくとも一方が生じた場合、傘制御装置１Ａは、ステップＳ５０４の動作を行ってもよい。
【０１３６】
次に、傘２の開閉情報を受信する場合の、本実施形態の天気情報サーバ５の動作について、図面を参照して詳細に説明する。
【０１３７】
図２４は、傘２の開閉情報を受信する場合の、本実施形態の天気情報サーバ５の動作を表すフローチャートである。傘情報受信部５０１は、傘２の傘情報を受信する（ステップＳ６０１）。前述のように、傘２の傘情報は、例えば、傘２の開閉情報と、位置とである。傘２の傘情報は、例えば、傘２の開閉情報と、位置と、傘２の種別とであってもよい。傘情報受信部５０１は、傘２の傘情報を受信しない場合（ステップＳ６０２においてＮｏ）、ステップＳ６０１の動作を繰り返す。傘情報受信部５０１は、傘情報を受信可能な状態で待機していればよい。傘２の傘情報を受信した場合（ステップＳ６０２にいてＹｅｓ）、傘情報受信部５０１は、受信した傘情報を、傘情報記憶部５０２に格納する（ステップＳ６０３）。
【０１３８】
次に、傘２の開閉状態に基づき天気を推定する場合における、天気情報サーバ５の動作について、図面を参照して詳細に説明する。
【０１３９】
図２５は、傘２の開閉状態に基づき天気を推定する場合における、本実施形態の天気情報サーバ５の動作の第１の例を表すフローチャートである。図２５に示す動作では、傘２の種別は使用されない。
【０１４０】
天気推定部５０３は、あらかじめ定められている複数の領域から、１つの領域を選択する（ステップＳ６１１）。なお、天気推定部５０３は、既に選択された領域を再度選択しない。天気推定部５０３は、関連付けられている位置が選択された領域に含まれる、傘２の開閉状態を、傘情報記憶部５０２から読み出す（ステップＳ６１２）。前述のように、開閉状態は傘情報に含まれる。天気推定部５０３は、読み出された開閉状態に基づき、開閉状態が読み出された傘２の中で、開いている傘２の割合を導出する（ステップＳ６１３）。天気推定部５０３は、開閉状態が読み出された傘２の中で、開閉状態が傘２が開いていることを表す傘２の割合を導出すればよい。
【０１４１】
導出された割合が閾値を越える場合（ステップＳ６１４においてＹｅｓ）、天気推定部５０３は、選択された領域の的を「雨」に設定する（ステップＳ６１５）。導出された割合が閾値を越えない場合（ステップＳ６１４においてＮｏ）、天気推定部５０３は、選択された領域の的を「雨以外」に設定する（ステップＳ６１６）。天気推定部５０３は、選択された領域の天気を天気記憶部５０４に格納する（ステップＳ６１７）。
【０１４２】
あらかじめ定められている複数の領域に選択されていない領域が存在する場合（ステップＳ６１８においてＮｏ）、天気情報サーバ５は、ステップＳ６１１からステップＳ６１７間での動作を繰り返す。あらかじめ定められている複数の領域が全て選択された場合（ステップＳ６１８においてＹｅｓ）、天気情報サーバ５は、図２５に示す動作を終了する。
【０１４３】
次に、傘２の開閉状態に基づき天気を推定する場合における、本実施形態の天気情報サーバ５の他の動作例について説明する。
【０１４４】
図２６は、傘２の開閉状態に基づき天気を推定する場合における、本実施形態の天気情報サーバ５の動作の第２の例を表すフローチャートである。図２５に示す動作では、天気推定部５０３は、さらに傘２の種別に基づき天気を推定する。
【０１４５】
天気推定部５０３は、あらかじめ定められている複数の領域から未選択の領域を１つ選択する（ステップＳ６２１）。天気推定部５０３は、関連付けられている位置が選択した領域に含まれる、傘２の開閉情報と種別とを、傘情報記憶部５０２から読み出す（ステップＳ６２２）。前述のように傘２の種別は、傘２が日傘であるか雨傘であるかを表す。天気推定部５０３は、日傘の中における開いている日傘の割合と、雨傘の中における開いている雨傘の割合とを導出する（ステップＳ６２３）。
【０１４６】
開いている日傘の割合があらかじめ定められている第１の閾値を越える場合（ステップＳ６２４においてＹｅｓ）、天気推定部５０３は、選択された領域の天気を「晴」に設定する（ステップＳ６２５）。開いている日傘の割合が第１の閾値を越えない場合（ステップＳ６２４においてＮｏ）、天気推定部５０３は、開いている雨傘の割合とあらかじめ定められた第２の閾値とを比較する。開いている雨傘の割合が第２の閾値を越える場合（ステップＳ６２６においてＹｅｓ）、天気推定部５０３は、選択された領域の天気を「雨」に設定する（ステップＳ６２５）。開いている日傘の割合が第１の閾値を越えず、さらに開いている雨傘の割合が第２の閾値を越えない場合（ステップＳ６２６においてＮｏ）、天気推定部５０３は、選択された領域の天気を「曇」に設定する（ステップＳ６２８）。
【０１４７】
そして、天気推定部５０３は、選択された領域の天気を、天気記憶部５０４に格納する（ステップＳ６２９）。あらかじめ定められた複数の領域に、選択されていない領域が存在する場合（ステップＳ６３０においてＮｏ）、天気情報サーバ５は、ステップＳ６２１からステップＳ６２９までの動作を繰り返す。あらかじめ定められた複数の領域が全て選択された場合（ステップＳ６３０においてＹｅｓ）、天気情報サーバ５は、図２６に示す動作を終了する。
【０１４８】
次に、端末装置３から天気の要求を受信する場合における、本実施形態の天気情報サーバ５の動作について、図面を参照して詳細に説明する。
【０１４９】
図２７は、端末装置３から天気の要求を受信する場合における、本実施形態の天気情報サーバ５の動作の例を表すフローチャートである。端末装置３は、天気の要求と、端末位置検出部２１１によって検出された端末装置３の位置とを送信する。
【０１５０】
天気提供部５０５は、端末装置３から、天気の要求と位置とを受信する（ステップＳ７０１）。天気提供部５０５は、天気の要求と位置とを受信しない場合（ステップＳ７０２においてＮｏ）、ステップＳ７０１の動作を繰り返す。天気提供部５０５は、天気の要求と位置とを受信することができる状態で待機していればよい。天気の要求と位置とを受信した場合（ステップＳ７０２においてＹｅｓ）、天気提供部５０５は、前述のあらかじめ定められた複数の領域の中で、受信した位置を含む領域を特定する（ステップＳ７０３）。天気提供部５０５は、特定した領域における天気を、天気記憶部５０４から読み出す（ステップＳ７０４）。天気提供部５０５は、読み出した天気を、天気の要求を送信した端末装置３に送信する（ステップＳ７０５）。
【０１５１】
以上で説明した本実施形態には、第１の実施形態の効果と同じ効果がある。その理由は、第１の実施形態の効果が生じる理由と同じである。
【０１５２】
本実施形態には、さらに、傘２の使用者の負担を増加させずに、得られる天気情報の信頼性を高めることができるという効果がある。その理由は、開閉検出部１０３が傘２の開閉を検出するからである。そして、状態値送信部１０６が、傘２の開閉を表す開閉状態と、傘２に含まれる傘制御装置１の場所とを、天気情報サーバ５に送信するからである。従って、傘２の使用者が、その使用者の所在地における天気を送信する必要がない。天気情報サーバ５は、受信した傘２の開閉状態と位置とに基づき、天気を推定する。推定される天気は、傘２の開閉状態に基づき推定されるので、実際の降雨の状態を反映している可能性が高い。すなわち、傘２の使用者が実際の天気を入力する場合と比較して、推定される天気は信頼性が向上する。
【０１５３】
＜第３の実施形態＞
次に、本発明の第３の実施形態の傘制御装置１Ｂについて、図面を参照して詳細に説明する。
【０１５４】
図２８は、本実施形態の傘制御装置１Ｂの構成の例を表すブロック図である。
【０１５５】
図２８を参照すると、本実施形態の傘制御装置１Ｂは、傘２が開くことを禁止する施錠指示又は前記傘２が開くことを許可する解錠指示を端末装置３から受信する通信部１０１と、前記施錠指示を受信した場合、前記傘２の状態を、開かない状態である施錠状態に設定し、前記解錠指示を受信した場合、前記傘２の状態を、開くことが可能な状態である解錠状態に設定する施錠部１０２と、を備える。
【０１５６】
以上で説明した本実施形態には、第１の実施形態と同じ効果がある。その理由は、第１の実施形態の効果が生じる理由と同じである。
【０１５７】
＜他の実施形態＞
傘制御装置１、傘制御装置１Ａ、傘制御装置１Ｂ、端末装置３、天気情報サーバ５は、それぞれ、コンピュータ及びコンピュータを制御するプログラム、専用のハードウェア、又は、コンピュータ及びコンピュータを制御するプログラムと専用のハードウェアの組合せにより実現することができる。
【０１５８】
図２９は、傘制御装置１、傘制御装置１Ａ、傘制御装置１Ｂ、端末装置３、及び天気情報サーバ５を実現することができる、コンピュータ１０００の構成の一例を表す図である。図２９を参照すると、コンピュータ１０００は、プロセッサ１００１と、メモリ１００２と、記憶装置１００３と、Ｉ／Ｏ（Ｉｎｐｕｔ／Ｏｕｔｐｕｔ）インタフェース１００４とを含む。また、コンピュータ１０００は、記録媒体１００５にアクセスすることができる。メモリ１００２と記憶装置１００３は、例えば、ＲＡＭ（Ｒａｎｄｏｍ  Ａｃｃｅｓｓ  Ｍｅｍｏｒｙ）、ハードディスクなどの記憶装置である。記録媒体１００５は、例えば、ＲＡＭ、ハードディスクなどの記憶装置、ＲＯＭ（Ｒｅａｄ  Ｏｎｌｙ  Ｍｅｍｏｒｙ）、可搬記録媒体である。記憶装置１００３が記録媒体１００５であってもよい。プロセッサ１００１は、メモリ１００２と、記憶装置１００３に対して、データやプログラムの読み出しと書き込みを行うことができる。プロセッサ１００１は、Ｉ／Ｏインタフェース１００４を介して、例えば、ネットワーク４や他の装置にアクセスすることができる。プロセッサ１００１は、記録媒体１００５にアクセスすることができる。記録媒体１００５には、コンピュータ１０００を、傘制御装置１、傘制御装置１Ａ、傘制御装置１Ｂ、端末装置３、又は天気情報サーバ５として動作させるプログラムが格納されている。
【０１５９】
プロセッサ１００１は、記録媒体１００５に格納されている、コンピュータ１０００を、傘制御装置１、傘制御装置１Ａ、傘制御装置１Ｂ、端末装置３、又は天気情報サーバ５として動作させるプログラムを、メモリ１００２にロードする。そして、プロセッサ１００１が、メモリ１００２にロードされたプログラムを実行することにより、コンピュータ１０００は、傘制御装置１、傘制御装置１Ａ、傘制御装置１Ｂ、端末装置３、又は天気情報サーバ５として動作する。
【０１６０】
通信部１０１と、施錠部１０２と、開閉検出部１０３と、位置検出部１０４と、状態値送信部１０６とは、例えば、プログラムを記憶する記録媒体１００５からメモリ１００２に読み込まれた、各部の機能を実現することができる専用のプログラムと、そのプログラムを実行するプロセッサ１００１により実現することができる。また、種別記憶部１０５は、コンピュータ１０００が含むメモリ１００２やハードディスク装置等の記憶装置１００３により実現することができる。あるいは、通信部１０１と、施錠部１０２と、開閉検出部１０３と、位置検出部１０４と、種別記憶部１０５と、状態値送信部１０６との一部又は全部を、各部の機能を実現する専用の回路によって実現することもできる。
【０１６１】
傘検出部２０１と、傘認証部２０２と、傘制御部２０３と、指示入力部２０４と、出力部２０５と、中継部２０６と、天気取得部２０７と、アラーム部２０８と、外出先設定部２１０と、端末位置検出部２１１と、傘位置要求部２１２とは、例えば、プログラムを記憶する記録媒体１００５からメモリ１００２に読み込まれた、各部の機能を実現することができる専用のプログラムと、そのプログラムを実行するプロセッサ１００１により実現することができる。また、外出先記憶部２０９は、コンピュータ１０００が含むメモリ１００２やハードディスク装置等の記憶装置１００３により実現することができる。あるいは、傘検出部２０１と、傘認証部２０２と、傘制御部２０３と、指示入力部２０４と、出力部２０５と、中継部２０６と、天気取得部２０７と、アラーム部２０８と、外出先記憶部２０９と、外出先設定部２１０と、端末位置検出部２１１と、傘位置要求部２１２との一部又は全部を、各部の機能を実現する専用の回路によって実現することもできる。
【０１６２】
傘情報受信部５０１と、天気推定部５０３と、天気提供部５０５と、傘情報提供部５０６とは、例えば、プログラムを記憶する記録媒体１００５からメモリ１００２に読み込まれた、各部の機能を実現することができる専用のプログラムと、そのプログラムを実行するプロセッサ１００１により実現することができる。また、傘情報記憶部５０２と、天気記憶部５０４とは、コンピュータ１０００が含むメモリ１００２やハードディスク装置等の記憶装置１００３により実現することができる。あるいは、傘情報受信部５０１と、傘情報記憶部５０２と、天気推定部５０３と、天気記憶部５０４と、天気提供部５０５と、傘情報提供部５０６との一部又は全部を、各部の機能を実現する専用の回路によって実現することもできる。
【０１６３】
また、上記の実施形態の一部又は全部は、以下の付記のようにも記載されうるが、以下には限られない。
【０１６４】
（付記１）
傘が開くことを禁止する施錠指示又は前記傘が開くことを許可する解錠指示を端末装置から受信する通信手段と、
前記施錠指示を受信した場合、前記傘の状態を、開かない状態である施錠状態に設定し、前記解錠指示を受信した場合、前記傘の状態を、開くことが可能な状態である解錠状態に設定する施錠手段と、
を備える傘制御装置。
【０１６５】
（付記２）
前記傘が開かれた状態であるか閉じられた状態であるかを表す開閉状態を検出する開閉検出手段を更に備え、
前記施錠手段は、前記施錠指示を受信した際の前記開閉状態が、前記傘が閉じられた状態であることを表す場合、前記傘の状態を前記解錠状態に設定する
付記１に記載の傘制御装置。
【０１６６】
（付記３）
位置を測定する位置測定手段を更に備え、
前記通信手段は、前記開閉状態及び測定した前記位置を、受信した傘の開閉状態及び位置に基づき天気の分布を表す天気情報を生成する天気情報サーバに送信する
付記２に記載の傘制御装置。
【０１６７】
（付記４）
前記傘が雨傘であるか日傘であるかを表す傘種別を記憶する種別記憶手段を備え、
前記通信手段は、前記開閉状態に加えて前記傘種別を、前記天気情報サーバに送信し、
前記天気情報サーバは、更に、前記傘種別に更に基づき前記天気情報を生成する
付記３に記載の傘制御装置。
【０１６８】
（付記５）
前記傘制御装置は、前記傘が前記施錠状態であるか前記解錠状態であるかを表す状態値を前記端末装置に送信する状態値送信手段を含み、
前記端末装置は、前記状態値を受信し、当該状態値が施錠状態であることを表す場合、解錠を指示する解錠操作の入力を促す表示を行い、当該表示に応じて前記解錠操作が入力された場合、前記解錠指示を前記傘制御装置に送信する
付記１乃至４のいずれかに記載の傘制御装置。
【０１６９】
（付記６）
前記通信手段は、前記端末装置との通信の切断を検出し、
前記施錠手段は、前記通信の切断が検出された場合、前記傘の状態を前記施錠状態に設定する
付記１乃至５のいずれかに記載の傘制御装置。
【０１７０】
（付記７）
前記端末装置があらかじめ登録されている登録端末であることを認証する、端末認証を行う端末認証手段を備え、
前記施錠手段は、前記端末認証に失敗した場合、前記傘の状態を設定しない
付記１乃至６のいずれかに記載の傘制御装置。
【０１７１】
（付記８）
前記傘は、ハンドル部分と前記ハンドル部分以外の部分に着脱可能に分離され、
前記ハンドル部分は前記傘制御装置を含む
付記１乃至７のいずれかに記載の傘制御装置。
【０１７２】
（付記９）
前記端末装置と、付記１乃至８のいずれかに記載の傘制御装置と、
を含む傘管理システム。
【０１７３】
（付記１０）
傘が開くことを禁止する施錠指示又は前記傘が開くことを許可する解錠指示を端末装置から受信し、
前記施錠指示を受信した場合、前記傘の状態を、開かない状態である施錠状態に設定し、前記解錠指示を受信した場合、前記傘の状態を、開くことが可能な状態である解錠状態に設定する、
傘制御方法。
【０１７４】
（付記１１）
前記傘が開かれた状態であるか閉じられた状態であるかを表す開閉状態を検出し、
前記施錠指示を受信した際の前記開閉状態が、前記傘が閉じられた状態であることを表す場合、前記傘の状態を前記解錠状態に設定する
付記１０に記載の傘制御方法。
【０１７５】
（付記１２）
位置を測定し、
前記開閉状態及び測定した前記位置を、受信した傘の開閉状態及び位置に基づき天気の分布を表す天気情報を生成する天気情報サーバに送信する
付記１１に記載の傘制御方法。
【０１７６】
（付記１３）
前記傘が雨傘であるか日傘であるかを表す傘種別を種別記憶手段に記憶させ、
前記開閉状態に加えて前記傘種別を、前記天気情報サーバに送信し、
前記天気情報サーバは、更に、前記傘種別に更に基づき前記天気情報を生成する
付記１２に記載の傘制御方法。
【０１７７】
（付記１４）
前記傘が前記施錠状態であるか前記解錠状態であるかを表す状態値を前記端末装置に送信し、
前記端末装置は、前記状態値を受信し、当該状態値が施錠状態であることを表す場合、解錠を指示する解錠操作の入力を促す表示を行い、当該表示に応じて前記解錠操作が入力された場合、前記解錠指示を返信する
付記１０乃至１３のいずれかに記載の傘制御方法。
【０１７８】
（付記１５）
前記端末装置との通信の切断を検出し、
前記通信の切断が検出された場合、前記傘の状態を前記施錠状態に設定する
付記１０乃至４のいずれかに記載の傘制御方法。
【０１７９】
（付記１６）
前記端末装置があらかじめ登録されている登録端末であることを認証する、端末認証を行い、
前記端末認証に失敗した場合、前記傘の状態を設定しない
付記１０乃至１５のいずれかに記載の傘制御方法。
【０１８０】
（付記１７）
前記傘は、ハンドル部分と前記ハンドル部分以外の部分に着脱可能に分離され、
前記ハンドル部分は前記傘制御装置を含む
付記１０乃至１６のいずれかに記載の傘制御方法。
【０１８１】
（付記１８）
コンピュータを、
傘が開くことを禁止する施錠指示又は前記傘が開くことを許可する解錠指示を端末装置から受信する通信手段と、
前記施錠指示を受信した場合、前記傘の状態を、開かない状態である施錠状態に設定し、前記解錠指示を受信した場合、前記傘の状態を、開くことが可能な状態である解錠状態に設定する施錠手段と、
して動作させる傘制御プログラム。
【０１８２】
（付記１９）
コンピュータを、
前記傘が開かれた状態であるか閉じられた状態であるかを表す開閉状態を検出する開閉検出手段と、
前記施錠指示を受信した際の前記開閉状態が、前記傘が閉じられた状態であることを表す場合、前記傘の状態を前記解錠状態に設定する前記施錠手段と、
して動作させる付記１８に記載の傘制御プログラム。
【０１８３】
（付記２０）
コンピュータを、
位置を測定する位置測定手段と、
前記開閉状態及び測定した前記位置を、受信した傘の開閉状態及び位置に基づき天気の分布を表す天気情報を生成する天気情報サーバに送信する前記通信手段と、
して動作させる付記１９に記載の傘制御プログラム。
【０１８４】
（付記２１）
コンピュータを、
前記傘が雨傘であるか日傘であるかを表す傘種別を記憶する種別記憶手段と、
前記開閉状態に加えて前記傘種別を、前記天気情報サーバに送信する前記通信手段として動作させ、
前記天気情報サーバは、更に、前記傘種別に更に基づき前記天気情報を生成する
付記２０に記載の傘制御プログラム。
【０１８５】
（付記２２）
コンピュータを、
前記傘が前記施錠状態であるか前記解錠状態であるかを表す状態値を前記端末装置に送信する状態値送信手段として動作させ、
前記端末装置は、前記状態値を受信し、当該状態値が施錠状態であることを表す場合、解錠を指示する解錠操作の入力を促す表示を行い、当該表示に応じて前記解錠操作が入力された場合、前記解錠指示を前記コンピュータに送信する
付記１８乃至２１のいずれかに記載の傘制御プログラム。
【０１８６】
（付記２３）
コンピュータを、
前記端末装置との通信の切断を検出する前記通信手段と、
前記通信の切断が検出された場合、前記傘の状態を前記施錠状態に設定する前記施錠手段と、
して動作させる付記１８乃至２２のいずれかに記載の傘制御プログラム。
【０１８７】
（付記２４）
コンピュータを、
前記端末装置があらかじめ登録されている登録端末であることを認証する、端末認証を行う端末認証手段と、
前記端末認証に失敗した場合、前記傘の状態を設定しない前記施錠手段と、
して動作させる付記１８乃至２３のいずれかに記載の傘制御プログラム。
【０１８８】
（付記２５）
前記傘は、ハンドル部分と前記ハンドル部分以外の部分に着脱可能に分離され、
前記ハンドル部分は前記傘制御装置を含む
付記１８乃至２４のいずれかに記載の傘制御プログラム。
【０１８９】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【０１９０】
１、１Ａ、１Ｂ    傘制御装置
２    傘
３    端末装置
４    ネットワーク
５    天気情報サーバ
１００、１００Ａ    傘制御システム
１０１    通信部
１０２    施錠部
１０３    開閉検出部
１０４    位置検出部
１０５    種別記憶部
１０６    状態値送信部
１０７    端末認証部
１１１    ロック部
１１２    施錠制御部
１１３    開閉センサ
１１４    ピン
１１５、１１６    信号線
１１７、１１８    端子
２０１    傘検出部
２０２    傘認証部
２０３    傘制御部
２０４    指示入力部
２０５    出力部
２０６    中継部
２０７    天気取得部
２０８    アラーム部
２０９    外出先記憶部
２１０    外出先設定部
２１１    端末位置検出部
２１２    傘位置要求部
５０１    傘情報受信部
５０２    傘情報記憶部
５０３    天気推定部
５０４    天気記憶部
５０５    天気提供部
５０６    傘情報提供部
１０００    コンピュータ
１００１    プロセッサ
１００２    メモリ
１００３    記憶装置
１００４    Ｉ／Ｏインタフェース
１００５    記録媒体
【図１】
2015223336.tif 000003
【図２】
2015223336.tif 000004
【図３】
2015223336.tif 000005
【図４】
2015223336.tif 000006
【図５】
2015223336.tif 000007
【図６】
2015223336.tif 000008
【図７】
2015223336.tif 000009
【図８】
2015223336.tif 000010
【図９】
2015223336.tif 000011
【図１０】
2015223336.tif 000012
【図１１】
2015223336.tif 000013
【図１２】
2015223336.tif 000014
【図１３】
2015223336.tif 000015
【図１４】
2015223336.tif 000016
【図１５】
2015223336.tif 000017
【図１６】
2015223336.tif 000018
【図１７】
2015223336.tif 000019
【図１８】
2015223336.tif 000020
【図１９】
2015223336.tif 000021
【図２０】
2015223336.tif 000022
【図２１】
2015223336.tif 000023
【図２２】
2015223336.tif 000024
【図２３】
2015223336.tif 000025
【図２４】
2015223336.tif 000026
【図２５】
2015223336.tif 000027
【図２６】
2015223336.tif 000028
【図２７】
2015223336.tif 000029
【図２８】
2015223336.tif 000030
【図２９】
2015223336.tif 000031